(57)【要約】【課題】ユーザを煩わせることなく着信音を音調に応じて分類し、携帯情報端末の周囲の騒音レベルに応じた着信通知動作をさせることを可能とした情報端末を提供する。【解決手段】収音部３により入力された音の音量を判断するレベル検出部４と、音調データを含む音データを記憶する着信音記憶部９と、前記音データを音調データに応じて分類する音調判定部１０と、レベル検出部４の判断に応じた音調の音データを選択する出力制御部５と、出力制御部５が選択した音データを音信号に変換し出力する着信音制御部６を備える。【選択図】図１
2010068298.tif 000002
【特許請求の範囲】
【請求項１】
収音手段と、
前記収音手段により入力された音の音量を判断する音量判断手段と、
音調データを含む音データを記憶する音データ記憶手段と、
前記音データを音調データに応じて分類する音データ分類手段と、
前記音量判断手段の判断に応じた音調の音データを選択する音データ選択手段と、
前記音データ選択手段が選択した音データを音信号に変換し出力する音出力手段と、
を備えることを特徴とする情報端末。
【請求項２】
ユーザに操作され当該操作により検出する操作指示に応じた操作信号を出力する操作手段を備え、前記操作信号に応じて前記音データ記憶手段に記憶された前記音データを変更することを特徴とする請求項１に記載の情報端末。
【請求項３】
収音手段と、
前記収音手段により入力された音の音量を判断する音量判断手段と、
前記音量判断手段の判断に応じて、端末の振動を変化させる振動発生手段と、
を備えることを特徴とする情報端末。
【請求項４】
収音手段と、
前記収音手段により入力された音の音量を判断する音量判断手段と、
前記音量判断手段の判断に応じて、発光を変化させる発光手段と、
を備えることを特徴とする情報端末。
【請求項５】
収音手段と、前記収音手段により入力された音の音量を判断する音量判断手段と、音調データを含む音データを記憶する音データ記憶手段と、前記音データを音調データに応じて分類する音データ分類手段と、前記音量判断手段の判断に応じた音調の音データを選択する音データ選択手段と、前記音データ選択手段が選択した音データを音信号に変換し出力する音出力手段と、を備える情報端末における処理方法であって、
前記音量判断手段が、前記収音手段により入力された音の音量を判断するステップと、
前記音データ記憶手段が、前記音データを記憶するステップと、
前記音データ分類手段が、前記音データを音調に応じて分類するステップと、
前記音データ選択手段が、前記音データを前記音量判断手段の判断に応じて選択するステップと、
前記音出力手段が、前記音データ選択手段が選択した音データを音信号に変換し出力するステップと、
を含むことを特徴とする音出力処理方法。
【請求項６】
収音手段と、前記収音手段により入力された音の音量を判断する音量判断手段と、前記音量判断手段の判断に応じて、端末の振動を変化させる振動発生手段と、を備える情報端末における処理方法であって、
前記音量判断手段が、前記収音手段により入力された音の音量を判断するステップと、
前記振動発生手段が、前記音量判断手段の判断に応じて振動を変化させるステップと、
を含むことを特徴とする振動処理方法。
【請求項７】
収音手段と、前記収音手段により入力された音の音量を判断する音量判断手段と、前記音量判断手段の判断に応じて、発光を変化させる発光手段と、を備える情報端末における処理方法であって、
前記音量判断手段が、前記収音手段により入力された音の音量を判断するステップと、
前記発光手段が、前記音量判断手段の判断に応じて発光を変化させるステップと、
を含むことを特徴とする発光処理方法。
【請求項８】
収音手段と、前記収音手段により入力された音の音量を判断する音量判断手段と、音調データを含む音データを記憶する音データ記憶手段と、前記音データを音調データに応じて分類する音データ分類手段と、前記音量判断手段の判断に応じた音調の音データを選択する音データ選択手段と、前記音データ選択手段が選択した音データを音信号に変換し出力する音出力手段と、を備える情報端末のコンピュータに、
前記音量判断手段が、前記収音手段により入力された音の音量を判断する手順と、
前記音データ記憶手段が、前記音データを記憶する手順と、
前記音データ分類手段が、前記音データを音調に応じて分類する手順と、
前記音データ選択手段が、前記音データを前記音量判断手段の判断に応じて選択する手順と、
前記音出力手段が、前記音データ選択手段が選択した音データを音信号に変換し出力する手順と、
を実行させるためのプログラム。
【請求項９】
収音手段と、前記収音手段により入力された音の音量を判断する音量判断手段と、前記音量判断手段の判断に応じて、端末の振動を変化させる振動発生手段と、を備える情報端末のコンピュータに、
前記音量判断手段が、前記収音手段により入力された音の音量を判断する手順と、
前記振動発生手段が、前記音量判断手段の判断に応じて、端末の振動を変化させる手順と、
を実行させるためのプログラム。
【請求項１０】
収音手段と、前記収音手段により入力された音の音量を判断する音量判断手段と、前記音量判断手段の判断に応じて、発光を変化させる発光手段と、を備える情報端末のコンピュータに、
前記音量判断手段が、前記収音手段により入力された音の音量を判断する手順と、
前記発光手段が、前記音量判断手段の判断に応じて発光を変化させる手順と、
を実行させるためのプログラム。
【発明の詳細な説明】
【技術分野】
【０００１】
本発明は、例えば携帯電話端末に適用される、情報端末、音出力処理方法、振動処理方法、発光処理方法、及びプログラムに関する。
【背景技術】
【０００２】
近年、小型で携帯しやすい携帯情報端末が国内外で急速に普及しており、幅広い年齢層に受け入れられたことから、携帯情報端末によるコミュニケーション機会が増え、携帯情報端末を使用する際のマナー向上に対する要求も高まっている。
【０００３】
着信通知の際、周囲に迷惑のかからない環境下では、着信音が大きくても問題はないが、例えば公共の場で着信音が大きいと、周囲に不快感を与えてしまう場合があった。これを防止するため、ユーザが端末を予め周囲環境に適した着信通知モードに設定していない場合でも、端末が周囲環境に応じた音量の着信音で着信通知を行うことが、携帯情報端末に求められている(例えば、特許文献１、特許文献２参照)。
【特許文献１】特開平１０−０４２００８号公報
【特許文献２】特開２００６−８１０７４号公報
【発明の開示】
【発明が解決しようとする課題】
【０００４】
しかしながら従来技術では、着信音量が携帯情報端末の周囲の騒音レベルに応じて変更されたとしても、音調（例えば、音の高低、音の強弱、音の再生速度）が高く強い着信音が鳴った場合は、同じ着信音量でも結果として大きく聞こえてしまい、周囲に不快感を与えてしまう場合があった。携帯情報端末の周囲の騒音レベルに応じた音調の着信音を鳴らすには、ユーザが着信音を音調に応じて分類してから着信音を設定しなければならず、その操作が煩わしいという問題があった。また、着信音以外の着信通知手段についても、携帯情報端末の周囲の騒音レベルに応じた動作をさせることができなかった。
【０００５】
本発明は前記の諸点に鑑みてなされたものであり、ユーザを煩わせることなく携帯情報端末の周囲の騒音レベルに応じた着信通知動作をさせることを可能とした情報端末を提供することを目的としている。
【課題を解決するための手段】
【０００６】
本発明は、収音手段と、前記収音手段により入力された音の音量を判断する音量判断手段と、音調データを含む音データを記憶する音データ記憶手段と、前記音データを音調データに応じて分類する音データ分類手段と、前記音量判断手段の判断に応じた音調の音データを選択する音データ選択手段と、前記音データ選択手段が選択した音データを音信号に変換し出力する音出力手段と、を備えることを特徴とする情報端末である。
【０００７】
また本発明は、ユーザに操作され当該操作により検出する操作指示に応じた操作信号を出力する操作手段を備え、前記操作信号に応じて前記音データ記憶手段に記憶された前記音データを変更することを特徴とする情報端末である。
【０００８】
また本発明は、収音手段と、前記収音手段により入力された音の音量を判断する音量判断手段と、前記音量判断手段の判断に応じて、端末の振動を変化させる振動発生手段と、を備えることを特徴とする情報端末である。
【０００９】
また本発明は、収音手段と、前記収音手段により入力された音の音量を判断する音量判断手段と、前記音量判断手段の判断に応じて、発光を変化させる発光手段と、を備えることを特徴とする情報端末である。
【００１０】
また本発明は、収音手段と、前記収音手段により入力された音の音量を判断する音量判断手段と、音調データを含む音データを記憶する音データ記憶手段と、前記音データを音調データに応じて分類する音データ分類手段と、前記音量判断手段の判断に応じた音調の音データを選択する音データ選択手段と、前記音データ選択手段が選択した音データを音信号に変換し出力する音出力手段と、を備える情報端末における処理方法であって、前記音量判断手段が、前記収音手段により入力された音の音量を判断するステップと、前記音データ記憶手段が、前記音データを記憶するステップと、前記音データ分類手段が、前記音データを音調に応じて分類するステップと、前記音データ選択手段が、前記音データを前記音量判断手段の判断に応じて選択するステップと、前記音出力手段が、前記音データ選択手段が選択した音データを音信号に変換し出力するステップと、を含むことを特徴とする音データ出力処理方法である。
【００１１】
また本発明は、収音手段と、前記収音手段により入力された音の音量を判断する音量判断手段と、前記音量判断手段の判断に応じて、端末の振動を変化させる振動発生手段と、を備える情報端末における処理方法であって、前記音量判断手段が、前記収音手段により入力された音の音量を判断するステップと、前記振動発生手段が、前記音量判断手段の判断に応じて振動を変化させるステップと、を含むことを特徴とする振動処理方法である。
【００１２】
また本発明は、収音手段と、前記収音手段により入力された音の音量を判断する音量判断手段と、前記音量判断手段の判断に応じて、発光を変化させる発光手段と、を備える情報端末における処理方法であって、前記音量判断手段が、前記収音手段により入力された音の音量を判断するステップと、前記発光手段が、前記音量判断手段の判断に応じて発光を変化させるステップと、を含むことを特徴とする発光処理方法である。
【００１３】
また本発明は、収音手段と、前記収音手段により入力された音の音量を判断する音量判断手段と、音調データを含む音データを記憶する音データ記憶手段と、前記音データを音調に応じて分類する音データ分類手段と、前記音データを前記音量判断手段の判断に応じて選択する音データ選択手段と、前記音データ選択手段が選択した音データを音信号に変換し出力する音出力手段と、を備える情報端末のコンピュータに、前記音量判断手段が、前記収音手段により入力された音の音量を判断する手順と、前記音データ記憶手段が、前記音データを記憶する手順と、前記音データ分類手段が、前記音データを音調に応じて分類する手順と、前記音データ選択手段が、前記音データを前記音量判断手段の判断に応じて選択する手順と、前記音出力手段が、前記音データ選択手段が選択した音データを音信号に変換し出力する手順と、を実行させるためのプログラムである。
【００１４】
また本発明は、収音手段と、前記収音手段により入力された音の音量を判断する音量判断手段と、前記音量判断手段の判断に応じて、端末の振動を変化させる振動発生手段と、を備えることを特徴とする情報端末のコンピュータに、前記音量判断手段が、前記収音手段により入力された音の音量を判断する手順と、前記振動発生手段が、前記音量判断手段の判断に応じて、端末の振動を変化させる手順と、を実行させるためのプログラムである。
【００１５】
また本発明は、収音手段と、前記収音手段により入力された音の音量を判断する音量判断手段と、前記音量判断手段の判断に応じて、発光を変化させる発光手段と、を備えることを特徴とする情報端末のコンピュータに、前記音量判断手段が、前記収音手段により入力された音の音量を判断する手順と、前記発光手段が、前記音量判断手段の判断に応じて発光を変化させる手順と、を実行させるためのプログラムである。
【発明の効果】
【００１６】
本発明によれば、着信音を音調に応じて分類する手段を設けたので、ユーザを煩わせることなく、着信通知の際に携帯情報端末の周囲の騒音レベルに応じた着信通知動作を情報端末にさせることで、情報端末のユーザと周囲に不快感を与えてしまうことを防ぐことができる。
【発明を実施するための最良の形態】
【００１７】
次に、本発明の実施の形態について図面を参照して詳細に説明する。
図１は、本実施の一形態による携帯電話端末のブロック図である。図１において、携帯電話端末は、着信検出部１と、収音制御部２と、収音部３と、レベル検出部４と、出力制御部５と、着信音制御部６と、スピーカ７と、着信音入力部８と、着信音記憶部９と、音調判定部１０と、操作部１１と、振動制御部１２と、振動部１３と、発光制御部１４と、発光部１５と、を備える。
【００１８】
着信検出部１は、例えば、音声通話着信、テレビ電話着信、メール受信などの着信を、収音制御部２に通知する。収音制御部２は、着信検出部１からの通知に応じて、収音部３を有効あるいは無効に設定する。収音部３は、収音制御部２が収音部３を有効に設定した場合は、携帯電話端末の外部音から収音し、外部音をレベル検出部４に出力する。収音部３は、収音制御部２が収音部３を無効に設定した場合は、携帯電話端末の外部音を収音しない。レベル検出部４は、収音部３が収音した外部音の音量を周波数別に検出し、この中から外部音の可聴域を選択して音量を判定し、音量判定結果（以下、「外部音量」と称する）を出力制御部５に出力する。
【００１９】
出力制御部５は、レベル検出部４から通知された「外部音量」に応じて、着信音制御部６に「音調レベル」「着信音量」を通知する。「音調レベル」「着信音量」については後述する。また、出力制御部５は、レベル検出部４から通知された「外部音量」に応じて、振動制御部１２に「振動強さ」を通知する。また、出力制御部５は、レベル検出部４から通知された「外部音量」に応じて、発光制御部１４に「発光量」を通知する。「振動強さ」「発光量」については後述する。
【００２０】
着信音制御部６は、出力制御部５からの「音調レベル」の通知に応じて、着信音記憶部９から着信音データを選択し、取得する。着信音制御部６が、着信音データを選択する手順については後述する。また、着信音制御部６は、取得した前記着信音データを音信号に変換し、スピーカ７に出力する。また、着信音制御部６は、出力制御部５からの「着信音量」の通知に応じて、スピーカ７の音量を変更する。スピーカ７は、着信音制御部６により音信号に変換された着信音データを、着信音制御部６から設定された音量で、携帯電話端末の外部に出力する。
【００２１】
着信音入力部８には、着信音データと、着信音の属性データと、が入力される。着信音入力部８は、着信音記憶部９に、着信音データと、着信音の属性データと、を出力する。着信音記憶部９は、着信音データと、着信音の属性データと、を記憶する。また、着信音の属性データを使って着信音データの「音調レベル」を判定するために、着信音記憶部９は、着信音データと、着信音の属性データと、を記憶したことを、音調判定部１０に通知する。なお、着信音データは、例えば、着信音の音データ、あるいは楽譜データであり、圧縮データ、非圧縮データを問わない。
【００２２】
音調判定部１０は、着信音記憶部９から通知を受けると、あるいは、判定開始の指示を操作部１１から受けると、着信音記憶部９に記憶された着信音の属性データに応じて、各着信音データの「音調レベル」を判定し、判定結果を、着信音の属性データとして着信音記憶部９に出力する。着信音記憶部９は、前記着信音データの判定結果を、着信音の属性データとして記憶する。
【００２３】
操作部１１は、ユーザに操作され当該操作により検出する操作指示に応じた操作信号を出力する。操作部１１は、着信音データの「音調レベル」を判定するよう、音調判定部１０に判定開始を指示する。また操作部１１は、着信音記憶部９に記憶するために前記操作により検出した着信音の属性データを、音調判定部１０に通知する。音調判定部１０が操作部１１から通知された着信音の属性データを着信音記憶部９に書き込むことで、着信音記憶部９は、音調判定部１０から通知された着信音の属性データを記憶する。また、操作部１１は、出力制御部５に「着信通知モード」を設定する。「着信通知モード」については後述する。
【００２４】
振動制御部１２は、出力制御部５からの「振動強さ」の通知に応じて、振動部１３を駆動する。振動部１３は、振動制御部１２からの前記通知に応じて振動する。なお、振動部１３は複数あっても良い。発光制御部１４は、出力制御部５からの「発光量」の通知に応じて、発光部１５を発光させる。発光部１５は、発光制御部１４からの前記通知に応じて発光する。なお、発光部１５は複数あっても良い。
【００２５】
図２は、着信音の属性データのフォーマットである。着信音の属性データは、着信音記憶部９に記憶される。着信音の属性データは、「着信音」「音調強さ」「音調高さ」「音調速さ」「音調レベル」を含む。音調データは、例えば「音調強さ」「音調高さ」「音調速さ」であるとする。「着信音」は、着信音データの識別子である。
【００２６】
「音調強さ」は、着信音の音調の強弱を示す。「音調強さ」は「ｎ」（ｎは０以上の整数値）で表現され、値が大きくなるに従い、着信音の音調が強くなることを示す。「音調高さ」は、着信音の音階の平均を示す。「音調高さ」は「ｍ」（ｍは０以上の整数値）で表現され、値が大きくなるに従い、着信音の音階の平均が高くなることを示す。「音調速さ」は、着信音の再生速度を示す。「音調速さ」は「ｒ」（ｒは０以上の整数値）で表現され、値が大きくなるに従い、着信音の再生速度が速くなることを示す。
【００２７】
「音調レベル」は、複数の着信音について、各着信音の音調に応じて順位付けしたものであり、「音調強さ」と、「音調高さ」と、「音調速さ」と、から判定される。判定手順については後述する。着信音入力部８から着信音の属性データが入力された際に、着信音の属性データに「音調レベル」のデータが設定されていない場合でも、音調判定部１０が、あらためて「音調レベル」を判定し、設定するので問題ない。また、音調に応じて予め分類された着信音データが、着信音入力部８から入力され、着信音記憶部９に記憶されるとしても良い。例えば、着信音記憶部９に各着信音データを配置する際は、各着信音データの配置アドレスを音調に応じて決めるようにすれば、配置アドレスに基づいて着信音データを選択できるので、着信音の属性データは、必ずしも必要ない。
【００２８】
以下に、本実施の一形態による携帯電話端末の動作を示す。図３は、「音調レベル」判定のフローチャートである。着信音入力部８から、１つまたは複数の着信音データと、着信音の属性データと、が入力され、着信音記憶部９は、着信音データと、着信音の属性データと、を記憶する（ステップＳ１）。着信音記憶部９は、着信音の属性データが記憶されたことを、音調判定部１０に通知する（ステップＳ２）。音調判定部１０は、着信音記憶部９からの前記通知を受けると、着信音の属性データが含む、「音調強さ」「音調高さ」「音調速さ」を、着信音記憶部９に記憶された全着信音について取得する（ステップＳ３）。
【００２９】
音調判定部１０は、図２の「着信音」別に、例えば、着信音の属性データの「音調強さ」「音調高さ」「音調速さ」を合計する（ステップＳ４）。例えば、この合計が少ない「着信音」の順に、「０、１、２、３、・・・」のように０以上の整数値を割り振り、各着信音について、割り振った０以上の整数値を着信音の属性データの「音調レベル」として記憶させる（ステップＳ５）。この分類手順により「着信音」が音調データに応じて分類されることで、出力制御部５が「外部音量」に応じて「着信音」を選択するための準備ができる。なお、「音調強さ」「音調高さ」「音調速さ」に重み付けを設定して、「音調レベル」の判定を行っても良い。
【００３０】
なお、ユーザは操作部１１を用いて音調判定部１０に指示を出し、着信音記憶部９に記憶された着信音の属性データを、任意に書き換えてもよい。すなわち、前記分類手順による分類結果をユーザが並べ替えたり、着信音の属性データを書き換えた後に、ユーザが
音調判定部１０に改めて前記分類手順を実行させたりすることができる。
【００３１】
図４は、前記「外部音量」と、前記「音調レベル」と、「発光量」と、「振動強さ」と、「着信音量」と、の関係を示す。「外部音量」は「ｅ」（ｅは０以上の整数値）で表現され、値が大きくなるに従い、外部音の音量が大きいことを示す。図４の「音調レベル」には、「外部音量」と同じ値の「ｅ」を記憶するものとする。
【００３２】
「発光量」は、発光部１５の発光量である。「発光量」は「ｅ＋１」で表現され、値が大きくなるに従い、発光量が多くなることを示す。ここで「ｅ」に「＋１」とするのは、「外部音量」が「０」の場合にも発光させるためである。なお、「発光量」に応じて、発光色を変更するとしても良い。また、「発光量」に応じて、発光するタイミングなどのパターンを変更するとしても良い。あるいは、発光部１５が複数ある場合は、発光する発光部１５の個数を「発光量」に応じて変更するとしても良い。
【００３３】
「振動強さ」は、振動部１３の振動の強さである。「振動強さ」は「ｅ＋１」で表現され、値が大きくなるに従い、振動が強くなることを示す。ここで「ｅ」に「＋１」とするのは、「外部音量」が「０」の場合にも端末を振動させるためである。「着信音量」は、スピーカ７から出力される着信音の音量である。「着信音量」は「ｅ＋１」で表現され、値が大きくなるに従い、着信音の音量が大きくなることを示す。ここで「ｅ」に「＋１」とするのは、「外部音量」が「０」の場合にも「着信音量」を「０」としないためである。
【００３４】
図５は、着信通知のフローチャートである。着信検出部１は、例えば、音声通話着信、テレビ電話着信、メール受信などの着信を、収音制御部２に通知する。通知を受けた収音制御部２は、収音部３を有効に設定する。有効に設定された収音部３は、携帯電話端末の外部音を収音し、外部音をレベル検出部４に出力する。
【００３５】
レベル検出部４は、入力された外部音の可聴域の音量を検出し、「外部音量」を判定する。ここで、「外部音量」の「０」は、外部音が無音であることを示し、値が大きくなるに従い、外部音の音量が大きくなることを示す。ここで、例えば「外部音量」の「９」を、外部音の音量が最大であることを示す値とする。
【００３６】
レベル検出部４は、「外部音量」を出力制御部５に通知する（ステップＳａ１）。出力制御部５は、図６に示す「着信通知モード」に応じて動作する（ステップＳａ２）。「着信通知モード」は、携帯電話端末の着信通知動作に関する設定を示すデータであり、ユーザが操作部１１を用いて予め設定するデータ、あるいは、出力制御部５が予め記憶しているデータである。「着信通知モード」には、例えば、「着信音通知」「強制着信音通知」「強制振動通知」のいずれかが記憶される。
【００３７】
「着信通知モード」が「着信音通知」である場合、出力制御部５は、「外部音量」が「０」（無音）であるか否かを判定する（ステップＳａ３）。
【００３８】
レベル検出部４が出力制御部５に通知した「外部音量」が「０」である場合、出力制御部５は、振動制御部１２に、図４の「振動強さ」の「１」を通知し、発光制御部１４に、図４の「発光量」の「１」を通知する（ステップＳａ４）。
【００３９】
振動制御部１２は、振動部１３に、振動強さ「１」で振動するよう通知する。発光制御部１４は、発光部１５に、発光量「１」で発光するよう通知する（ステップＳａ５）。振動部１３は、振動制御部１２から通知された振動強さ「１」で振動する。発光部１５は、発光制御部１４から通知された発光量「１」で発光する（ステップＳａ６）。
【００４０】
レベル検出部４が出力制御部５に通知した「外部音量」が「０以外」である場合、出力制御部５は、図４の「音調レベル」の「ｅ」、図４の「着信音量」の「ｅ＋１」を、着信音制御部６に通知する（ステップＳａ７）。
【００４１】
着信音制御部６は、着信音記憶部９に記憶された図２の着信音の属性データの中から、出力制御部５から通知された図４の「音調レベル」の「ｅ」と同じ値である「音調レベル」の「着信音」を選択し、選択した「着信音」の着信音データを取得する。例えば「外部音量」が「１」である場合、出力制御部５から、図４の「音調レベル」の「１」が通知されるので、着信音制御部６は、着信音の属性データの中から、「音調レベル」が「１」である「着信音Ｂ」を選択し、「着信音Ｂ」の着信音データを取得する。着信音制御部６は、出力制御部５から通知された、図４の「着信音量」の「ｅ＋１」に応じて、スピーカ７に音量「ｅ＋１」を設定する。例えば、レベル検出部４が、出力制御部５に通知した「外部音量」が「１」である場合、スピーカ７に音量「２」を設定する（ステップＳａ８）。
【００４２】
着信音制御部６は、取得した着信音データを音信号に変換後、スピーカ７に出力し、スピーカ７から着信音が出力される（ステップＳａ９）。
【００４３】
「着信通知モード」が「強制着信音通知」である場合は、ステップＳａ７からステップＳａ９まで、「着信通知モード」が「着信音通知」の場合と同様の処理を行う。例えば、「外部音量」が「０」である場合、出力制御部５から、図４の「音調レベル」の「０」が通知されるので、着信音制御部６は、着信音の属性データの中から、「音調レベル」が「０」である「着信音Ａ」を選択し、「着信音Ａ」の着信音データを取得する。また、着信音制御部６は、例えば、レベル検出部４が、出力制御部５に通知した「外部音量」が「０」である場合、スピーカ７に音量「１」を設定する。すなわち、「通知モード」が「強制着信音通知」である場合は、「外部音量」が「０」（無音）であっても、着信音が出力される。
【００４４】
「着信通知モード」が「強制振動通知」である場合、出力制御部５は、振動制御部１２に、図４の「振動強さ」の「ｅ＋１」を通知し、発光制御部１４に、図４の「発光量」の「ｅ＋１」を通知する（ステップＳａ１０）。
【００４５】
振動制御部１２は、振動部１３に、振動強さ「ｅ＋１」で振動するよう通知する。発光制御部１４は、発光部１５に、発光量「ｅ＋１」で発光するよう通知する（ステップＳａ１１）。
【００４６】
振動部１３は、振動制御部１２から通知された振動強さ「ｅ＋１」で振動する。発光部１５は、発光制御部１４から通知された発光量「ｅ＋１」で発光する（ステップＳａ１２）。すなわち、「着信通知モード」が「強制振動通知」である場合は、着信音は出力されない。
【００４７】
以上、この発明の実施形態について図面を参照して詳述してきたが、具体的な構成はこの実施形態に限られるものではなく、この発明の要旨を逸脱しない範囲の設計等も含まれる。例えば、携帯電話端末のみならず、ＰＤＡ（Ｐｅｒｓｏｎａｌ  Ｄｉｇｉｔａｌ  Ａｓｓｉｓｔａｎｔｓ）、ノートＰＣなどの携帯情報端末、通信手段を備えていない音響機器などにも本発明を適用可能である。
【００４８】
また、本発明に記載の収音手段は、収音部３に対応し、音量判断手段は、レベル検出部４に対応し、音データ記憶手段は、着信音記憶部９に対応し、音データ選択手段は、出力制御部５と、着信音制御部６と、に対応し、音出力手段は、出力制御部５と、着信音制御部６と、スピーカ７と、に対応し、音データ分類手段は、音調判定部１０に対応し、操作手段は、操作部１１と、音調判定部１０と、に対応し、振動発生手段は、出力制御部５と、振動制御部１２と、振動部１３と、に対応し、発光手段は、出力制御部５と、発光制御部１４と、発光部１５と、に対応する。
【００４９】
また、図３、図５に示す各ステップを実現するためのプログラムをコンピュータ読み取り可能な記録媒体に記録して、この記録媒体に記録されたプログラムをコンピュータシステムに読み込ませ、実行することにより、通信端末の実行処理を行ってもよい。なお、ここでいう「コンピュータシステム」とは、ＯＳ（Ｏｐｅｒａｔｉｎｇ  Ｓｙｓｔｅｍ）や周辺機器等のハードウェアを含むものであってもよい。
【００５０】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【図面の簡単な説明】
【００５２】
【図１】本発明の実施形態による携帯電話端末のブロック図である。
【図２】着信音の属性データのフォーマットである。
【図３】「音調レベル」判定のフローチャートである。
【図４】「外部音量」「音調レベル」「発光量」「振動強さ」「着信音量」の関係図である
【図５】着信通知のフローチャートである。
【図６】着信通知モードを示す図である。
【符号の説明】
【００５３】
１…着信検出部  ２…収音制御部  ３…収音部  ４…レベル検出部  ５…出力制御部  ６…着信音制御部  ７…スピーカ  ８…着信音入力部  ９…着信音記憶部  １０…音調判定部  １１…操作部  １２…振動制御部  １３…振動部  １４…発光制御部  １５…発光部
【図１】
2010068298.tif 000003
【図２】
2010068298.tif 000004
【図３】
2010068298.tif 000005
【図４】
2010068298.tif 000006
【図５】
2010068298.tif 000007
【図６】
2010068298.tif 000008